(57)【特許請求の範囲】
【請求項１】
第一主面及び前記第一主面に背向する第二主面を有し、前記第一主面に発光素子が設けられた長尺状の発光基板と、
前記発光素子を覆い、透光性を有する長尺状のカバーと、
固定部材によって被取付部に固定され、前記発光基板及び前記カバーを支持する長尺状の支持部材とを備え、
前記支持部材は、前記発光基板及び前記カバーの長さ方向への移動を許容し、かつ、前記発光基板及び前記カバーの長さ方向に垂直な方向への移動を規制する規制部と、前記固定部材が配置される固定部とを備え、
前記固定部は、前記第二主面に対向する位置に設けられ、
前記支持部材は、前記支持部材の長さ方向に延び、かつ、当該長さ方向に交差する方向に前記カバーを挟んで対向する一対の側壁を有し、
前記一対の側壁が、前記カバーの一部を覆う
照明器具。
【請求項２】
前記一対の側壁が、前記カバーから出射される光を反射する
請求項１に記載の照明器具。
【請求項３】
前記一対の側壁の一方は、前記一対の側壁の他方と異なる形状を有する
請求項１又は２に記載の照明器具。
【請求項４】
前記一対の側壁の一方は、前記一対の側壁の他方より、前記カバーを覆う面積が大きい
請求項３に記載の照明器具。
【請求項５】
前記固定部材は、前記被取付部と共に前記固定部を挟む挟持部を有し、前記第二主面に対向しない位置において、前記被取付部に固定される
請求項１〜４のいずれか１項に記載の照明器具。
【請求項６】
第一主面及び前記第一主面に背向する第二主面を有し、前記第一主面に発光素子が設けられた長尺状の発光基板と、
前記発光素子を覆い、透光性を有する長尺状のカバーと、
固定部材によって被取付部に固定され、前記発光基板及び前記カバーを支持する長尺状の支持部材とを備え、
前記支持部材は、前記発光基板及び前記カバーの長さ方向への移動を許容し、かつ、前記発光基板及び前記カバーの長さ方向に垂直な方向への移動を規制する規制部と、前記固定部材が配置される固定部とを備え、
前記固定部は、前記第二主面に対向する位置に設けられ、
前記固定部材は、前記被取付部と共に前記固定部を挟む挟持部を有し、前記第二主面に対向しない位置において、前記被取付部に固定される
照明器具。
【請求項７】
前記固定部は、前記支持部材の長さ方向の両端部に設けられる
請求項１〜６のいずれか１項に記載の照明器具。
【請求項８】
前記規制部は、前記支持部材の長さ方向に沿って設けられた溝である
請求項１〜７のいずれか１項に記載の照明器具。
【請求項９】
前記カバーは、前記発光基板の長さ方向への移動を許容し、かつ、前記発光基板の長さ方向に垂直な方向への移動を規制する基板規制部を有する
請求項１〜８のいずれか１項に記載の照明器具。
【請求項１０】
前記固定部材は、ねじであり、前記固定部は、前記支持部材を貫通する孔である
請求項１〜４、７〜９のいずれか１項に記載の照明器具。
【請求項１１】
前記照明器具は、前記被取付部として、造営材に取り付けられる取付部材をさらに備える
請求項１〜１０のいずれか１項に記載の照明器具。
【請求項１２】
請求項１〜１１のいずれか１項に記載の照明器具の取付方法であって、
前記発光基板及び前記カバーを前記支持部材の前記規制部に配置するステップと、
前記発光基板及び前記カバーを前記固定部に対向する位置から退避させるステップと、
前記固定部に前記固定部材を取り付けるステップと、
前記発光基板及び前記カバーを前記支持部材の長さ方向に移動させることによって、前記発光基板及び前記カバーを前記固定部に対向する位置に移動させるステップとを含む
照明器具の取付方法。
【発明の詳細な説明】
【技術分野】
【０００１】
本発明は、照明器具及びその取付方法に関し、例えば、ＬＥＤ（Ｌｉｇｈｔ  Ｅｍｉｔｔｉｎｇ  Ｄｉｏｄｅ）等の発光素子を有する照明器具及びその取付方法に関する。
【背景技術】
【０００２】
従来、複数のＬＥＤなどの発光素子を直線状に配列した照明器具が知られている（例えば、特許文献１など）。
【０００３】
特許文献１に開示された照明器具は、複数のＬＥＤが直線状に配列された長尺状の基板を備えるＬＥＤ照明ユニットと、当該ＬＥＤ照明ユニットが着脱自在に取り付けられる照明器具外殻体とを備える。また、特許文献１に開示された照明器具では、照明器具外殻体の両端がねじによって取付ベースに固定される。これにより、特許文献１に開示された照明器具においては、ＬＥＤ照明ユニットだけを容易に取り換えることが可能となる。
【先行技術文献】
【特許文献】
【０００４】
【特許文献１】特開２００５−３０２４８４号公報
【発明の概要】
【発明が解決しようとする課題】
【０００５】
しかしながら、特許文献１に開示された照明器具では、その両端がねじで固定されるため、当該ねじが配置された両端部にＬＥＤを配置することは困難である。また、ねじが外部に露出しているため、ユーザ等が誤って取り外すおそれがある。さらに、ねじが外部に露出することは、照明器具のデザイン性の観点からも好ましくない。
【０００６】
本発明は、このような課題を解決するためになされたものであり、被取付部に固定部材によって取り付けられる照明器具であって、固定部材の外部への露出を抑制できる照明器具及びその取付方法を提供する。
【課題を解決するための手段】
【０００７】
上記課題を解決するために、本発明に係る照明器具の一態様は、第一主面及び第一主面に背向する第二主面を有し、第一主面に発光素子が設けられた長尺状の発光基板と、発光素子を覆い、透光性を有する長尺状のカバーと、固定部材によって被取付部に固定され、発光基板及びカバーを支持する長尺状の支持部材とを備え、支持部材は、発光基板及びカバーの長さ方向への移動を許容し、かつ、発光基板及びカバーの長さ方向に垂直な方向への移動を規制する規制部と、固定部材が配置される固定部とを備え、固定部は、第二主面に対向する位置に設けられる。
【発明の効果】
【０００８】
本発明によれば、被取付部に固定部材によって取り付けられる照明器具であって、固定部材の外部への露出を抑制できる照明器具及びその取付方法を提供することができる。
【図面の簡単な説明】
【０００９】
【図１】図１は、実施の形態１に係る照明器具の外観を示す斜視図である。
【図２】図２は、実施の形態１に係る照明器具の外観を示す上面図である。
【図３】図３は、実施の形態１に係る照明器具の分解斜視図である。
【図４】図４は、実施の形態１に係る照明器具の発光モジュールの分解斜視図である。
【図５】図５は、実施の形態１に係る照明器具の断面図である。
【図６】図６は、実施の形態１に係る照明器具の分解斜視図である。
【図７】図７は、実施の形態１に係る電力供給線を固定する構成を示す発光基板端部の斜視図である。
【図８】図８は、実施の形態１に係る照明器具の取付手順を示すフローチャートである。
【図９】図９は、実施の形態１に係る照明器具の取付手順を示す上面図である。
【図１０】図１０は、実施の形態１に係る照明器具の使用態様の一例を示す外観図である。
【図１１】図１１は、実施の形態１に係る照明器具の使用態様の一例を示す断面図である。
【図１２】図１２は、実施の形態２に係る照明器具の外観を示す斜視図である。
【図１３】図１３は、実施の形態２に係る照明器具の構成要素を示す分解斜視図である。
【図１４】図１４は、実施の形態２に係るエンドキャップの接続構成を示す拡大図である。
【図１５】図１５は、実施の形態３に係る照明器具の分解斜視図である。
【図１６】図１６は、実施の形態４に係る照明器具の外観を示す斜視図である。
【図１７】図１７は、実施の形態４に係る照明器具の分解斜視図である。
【図１８】図１８は、実施の形態４に係る照明器具の断面図である。
【図１９】図１９は、実施の形態４に係る支持部材及び取付部材の一方の端部と固定板とを示す分解斜視図である。
【図２０】図２０は、実施の形態４に係る支持部材、取付部材及び固定板を示す斜視図である。
【図２１】図２１は、実施の形態４に係る照明器具の取付手順を示す上面図である。
【図２２】図２２は、実施の形態５に係る照明器具の外観を示す斜視図である。
【図２３】図２３は、実施の形態５に係る照明器具の接続部キャップの内部の構成を示す分解斜視図である。
【図２４】図２４は、実施の形態５に係る照明器具の接続部キャップの内部の構成を示す分解斜視図である。
【図２５】図２５は、実施の形態５に係る照明器具の接続部キャップの内部の構成を示す分解斜視図である。
【図２６】図２６は、実施の形態５に係る照明器具の接続部キャップの内部の構成を示す分解斜視図である。
【図２７】図２７は、実施の形態に係る照明器具の接続部キャップ近傍の拡大図である。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
［１−１．構成］
まず、実施の形態１に係る照明器具の構成について、図面を用いて説明する。
【００１３】
図１は、本実施の形態に係る照明器具１の外観を示す斜視図である。
【００１４】
図２は、本実施の形態に係る照明器具１の外観を示す上面図である。
【００１５】
図３は、本実施の形態に係る照明器具１の分解斜視図である。
【００１６】
図４は、本実施の形態に係る照明器具１の発光モジュール２の分解斜視図である。
【００１７】
図５は、本実施の形態に係る照明器具１の断面図である。図５では、図２に示される照明器具１のＶ−Ｖ線における断面図が示される。
【００１８】
図１〜３に示されるように、照明器具１は、発光モジュール２、支持部材４、ねじ５及び８、取付部材６並びにエンドキャップ７を備える。以下、上記各構成要素について説明する。
【００１９】
［１−１−１．発光モジュール］
発光モジュール２は、照明器具１の発光部である。図４に示されるように、本実施の形態では、発光モジュール２は、カバー２０、発光基板３０、第一カバーキャップ９、第二カバーキャップ１０、張力留部材１１及びねじ１２を備える。
【００２０】
発光基板３０は、図４及び図５に示されるように、第一主面３１ａ及び第一主面３１ａに背向する第二主面３１ｂを有し、第一主面３１ａに発光素子３２が設けられた長尺状の基板である。本実施の形態では、発光基板３０は、基板３１、複数の発光素子３２及び一対の接続端子３３を備える。
【００２１】
基板３１は、樹脂をベースとする樹脂基板によって構成されている。樹脂基板としては、例えば、ガラス繊維とエポキシ樹脂とからなるガラスエポキシ基板、又は、紙フェノールや紙エポキシからなる基板等を用いることができる。
【００２２】
発光素子３２は、発光基板３０の発光部である。本実施の形態では、発光素子３２は、基板３１の第一主面３１ａに配置される。図４に示されるように、本実施の形態において、複数の発光素子３２は、基板３１の長さ方向（長手方向、ｘ軸方向）に沿って、基板３１の幅方向（ｙ軸方向）の略中央にライン状に一列で実装されているが、発光素子３２のレイアウトは、これに限定されない。例えば、複数の発光素子３２は二列で実装されていてもよい。
【００２３】
本実施の形態に係る各発光素子３２は、ＬＥＤチップと蛍光体とがパッケージ化された、いわゆる表面実装（ＳＭＤ：Ｓｕｒｆａｃｅ  Ｍｏｕｎｔ  Ｄｅｖｉｃｅ）型の発光素子である。本実施の形態に係る各発光素子３２は、白色光を発する白色ＬＥＤである。
【００２４】
なお、図示しないが、発光素子３２は、正極及び負極の２つの電極端子を有しており、これらの電極端子と基板３１の第一主面３１ａ上にパターン形成された金属配線（金属パターン）とが電気的に接続されている。つまり、金属配線は、発光素子３２と電気的に接続されている。
【００２５】
一対の接続端子３３は、発光基板３０の外部から発光素子３２を発光させるための電力の供給を受ける端子である。一対の接続端子３３には、それぞれ、発光素子３２に電力を供給する電力供給線が接続される（図４及び図５では図示せず）。電力供給線と接続端子３３との接続構成については後述する。一対の接続端子３３と基板３１の第一主面３１ａに配置された金属配線とは電気的に接続されている。
【００２６】
カバー２０は、発光素子３２を覆い、透光性を有する長尺状の部材である。本実施の形態では、カバー２０は、筒状の形状を有し、内部に発光基板３０が収納される。カバー２０は、発光基板３０の長さ方向（ｘ軸方向）への移動を許容し、かつ、発光基板３０の長さ方向に垂直な方向への移動を規制する基板規制部を有する。本実施の形態では、図４及び図５に示されるように、カバー２０は、基板規制部として、内側面に、カバー２０の長さ方向に沿って設けられた一対の溝２１を有する。すなわち、発光基板３０は、その幅方向（ｙ軸方向）の両端がカバー２０の一対の溝２１に嵌められた状態で、長さ方向（ｘ軸方向）にスライド可能である。したがって、発光基板３０を、カバー２０の一対の溝２１に嵌めた状態で、スライドさせることによって、図４に破線の矢印で示されるように、発光基板３０をカバー２０の内部に収納することができる。
【００２７】
また、カバー２０は、そのｙ軸方向の両端面に凸部２２を有する。凸部２２が、支持部材４の溝４３が嵌められることにより、カバー２０が支持部材４に対してｚ軸方向に移動することが規制される。
【００２８】
カバー２０は、透光性材料を用いて形成することができ、例えば、アクリルやポリカーボネート等の樹脂材料又はガラス材料を用いて形成することができる。なお、カバー２０は、樹脂材料などの絶縁材料から構成されることが好ましい。これにより、発光基板３０と外部との絶縁性能を向上させることができる。また、カバー２０の絶縁性能をさらに向上させるために、本実施の形態のように、カバー２０が筒状の形状を有することが好ましい。
【００２９】
なお、発光素子３２からの光を拡散させるために、カバー２０に光拡散機能を持たせてもよい。例えば、カバー２０の内面又は外面に光拡散シート又は光拡散膜を形成すればよい。具体的には、シリカや炭酸カルシウム等の光拡散材（微粒子）を含有する樹脂又は白色顔料をカバー２０の内面又は外面に付着させることで、乳白色の光拡散膜を形成することができる。
【００３０】
その他に、カバー２０の内部又は外部に設けられたレンズ構造物、あるいは、カバー２０に形成された凹部又は凸部を設けることによって、カバー２０に光拡散機能を持たせることもできる。例えば、カバー２０の内面又は外面にドットパターンを印刷したり、カバー２０の一部を加工したりすることができる。あるいは、カバー２０そのものを、光拡散材が分散された樹脂材料等を用いて成型してもよい。
【００３１】
このように、カバー２０に光拡散機能を持たせることによって、発光素子３２から出射された光を、カバー２０を通過する際に拡散させることができる。特に、本実施の形態のように発光素子３２が離間して配置されている場合、光の粒状感（輝度ばらつき）が発生するが、カバー２０に光拡散機能を持たせることで、粒状感を抑制することができる。
【００３２】
第一カバーキャップ９及び第二カバーキャップ１０は、カバー２０の長さ方向の各端部を覆う透光性部材である。本実施の形態では、第一カバーキャップ９及び第二カバーキャップ１０は、それぞれ、カバー２０のｘ軸方向負側の端部、及び、カバー２０のｘ軸方向正側の端部を覆う。第一カバーキャップ９及び第二カバーキャップ１０は、カバー２０の断面と略同じ形状を有する。カバー２０と、第一カバーキャップ９及び第二カバーキャップ１０とは、例えば、透光性の接着剤で接着される。これにより、カバー２０の各端部から、カバー２０の内部に水分などが進入することを抑制することができる。
【００３３】
第一カバーキャップ９及び第二カバーキャップ１０を構成する材料は、特に限定されない。例えば、第一カバーキャップ９及び第二カバーキャップ１０は、カバー２０と同様の材料で構成されてもよい。
【００３４】
本実施の形態に係る照明器具１では、電力供給線が第二カバーキャップ１０を介して、カバー２０の外部からカバー２０の内部に挿入される。ここで、第二カバーキャップ１０の詳細な構成について図面を用いて説明する。
【００３５】
図６は、本実施の形態に係る照明器具１の分解斜視図である。図６では、照明器具１の第二カバーキャップ１０、張力留部材１１及びねじ１２が示される。
【００３６】
本実施の形態では、第二カバーキャップ１０には、二つの孔１０１、ねじ穴１０２、及び、二つの凹部１０３が設けられている。
【００３７】
二つの孔１０１は、電力供給線を貫通させる貫通孔である。二つの孔１０１は、第二カバーキャップ１０をｘ軸方向に貫通する孔である。接続端子３３に接続された電力供給線は、孔１０１に挿入されることによって、カバー２０の外部に取り出される。外部に取り出された電力供給線には、図示しない電源から電力が供給される。二つの孔１０１は、発光基板３０に設けられた二つの接続端子３３にほぼ対応する位置（すなわち、ｘ軸方向及びｙ軸方向においてほぼ同じ位置）に形成されてもよい。これにより、接続端子３３に接続された電力供給線をほとんど曲げることなく孔１０１に導くことができる。二つの凹部１０３は、張力留部材１１を取り付けるための凹部である。二つの凹部１０３は、第二カバーキャップ１０のｘ軸方向正側の面に設けられる。ねじ穴１０２は、ねじ１２が捻じ込まれるねじ穴であり、第二カバーキャップ１０の中央部にｘ軸方向に形成されている。本実施の形態では、張力留部材１１を貫通させたねじ１２が、ねじ穴１０２に捻じ込まれることにより、張力留部材１１が、第二カバーキャップ１０に固定される。
【００３８】
張力留部材１１は、電力供給線を固定することによって、カバー２０の外部に位置する電力供給線に加わる張力が、電力供給線と接続端子との接続部に伝わることを抑制する部材である。図６に示されるように、張力留部材１１は、二つの凹部１１１、孔１１２、及び、二つの凸部１１３を有する。二つの凹部１１１は、電力供給線が嵌められる凹部である。孔１１２は、ねじ１２を貫通させる孔である。二つの凸部１１３は、張力留部材１１を第二カバーキャップ１０に取り付けるための突起である。
【００３９】
張力留部材１１を形成する材料は、特に限定されない。張力留部材１１は、例えば、アクリルやポリカーボネート等の樹脂材料で形成される。
【００４０】
ねじ１２は、第二カバーキャップ１０に対して張力留部材１１を固定する固定部材である。ねじ１２を構成する材料は、特に限定されない。例えば、ねじ１２は鉄などの金属材料で形成される。
【００４１】
続いて、電力供給線を張力留部材１１などによって固定する構成について図面を用いて説明する。
【００４２】
図７は、本実施の形態に係る電力供給線３４を固定する構成を示す発光基板３０端部の斜視図である。図７においては、電力供給線３４の構成を示すために、カバー２０が示されていない。
【００４３】
図７に示されるように、二つの接続端子３３にそれぞれ接続された二本の電力供給線３４は、第二カバーキャップ１０に設けられた二つの孔１０１を介して第二カバーキャップ１０の外側（ｘ軸方向正側）に取り出される。二つの孔１０１を介して外側に取り出された二本の電力供給線３４は、張力留部材１１の二つの凹部１１１に嵌められる。二つの凹部１１１に二本の電力供給線３４がそれぞれ嵌められた状態で、ねじ１２によって、張力留部材１１が第二カバーキャップ１０に固定される。これにより、各電力供給線３４は、凹部１１１と第二カバーキャップ１０の外側の面（ｘ軸方向正側の面）とで締め付けられる。このため、電力供給線３４の第二カバーキャップ１０の外側に位置する部分に張力が加わっても、電力供給線３４の張力留部材１１で締め付けられた部分の移動が抑制される。したがって、電力供給線３４と接続端子３３との間に張力が加わることが抑制される。
【００４４】
［１−１−２．支持部材］
支持部材４は、固定部材によって被取付部に固定され、発光基板３０及びカバー２０を支持する長尺状の部材である。本実施の形態では、支持部材４は、固定部材に相当する二つのねじ５によって、被取付部に相当する取付部材６に固定される。支持部材４は、発光基板３０及びカバー２０の長さ方向への移動を許容し、かつ、発光基板３０及びカバー２０の長さ方向に垂直な方向への移動を規制する規制部と、固定部材が配置される固定部とを備える。本実施の形態では、図５に示されるように、規制部として支持部材４の内面に、支持部材４の長さ方向に沿って設けられた二つの溝４３を備える。二つの溝４３に、カバー２０の二つの凸部２２がそれぞれ嵌められることにより、発光基板３０及びカバー２０を含む発光モジュール２は、長さ方向（ｘ軸方向）への移動が許容され、かつ、当該長さ方向に垂直な方向への移動が規制される。すなわち、発光基板３０及びカバー２０を含む発光モジュール２は、支持部材４によって、支持部材４の長さ方向にスライド可能に支持される。これにより、図３において破線の矢印で示されるように、支持部材４に対して、発光モジュール２を支持部材４の長さ方向（ｘ軸方向）にスライドさせることで、支持部材４に発光モジュール２を取り付けることができる。
【００４５】
本実施の形態では、図３に示されるように、支持部材４は固定部に相当する二つの孔４８を備える。孔４８は、支持部材４をｚ軸方向に貫通する孔である。孔４８を介してねじ５が取付部材６に固定される。二つの孔４８は、支持部材４の取付部材６への固定を容易にするために、支持部材４の長さ方向の両端部に配置されてもよい。なお、支持部材４の取付部材６への固定方法については、後述する。二つの孔４８は、例えば、支持部材４の長さ方向の両端からの距離が、支持部材４の長さの１０％以内となるように設けられる。なお、孔４８の個数は二つに限定されない。孔４８の個数は、三つ以上であってもよい。
【００４６】
支持部材４は、図３に示されるように、二つの開口４９を備える。二つの開口４９は、それぞれ、取付部材６に取り付けられるねじ８と支持部材４とが干渉することを回避するための孔であり、支持部材４と取付部材６とを組み合わせた場合に、ねじ８の頭部分が開口４９に挿入される。
【００４７】
支持部材４は、図５に示されるように、取付部材６に対して支持部材４を取り付ける（仮留めする）ための二つの溝４５を備える。二つの溝４５は、支持部材４の取付部材６側（ｚ軸方向負側）の端部付近であって、支持部材４の幅方向（ｙ軸方向）の両端部付近にそれぞれ設けられる。取付部材６の幅方向（ｙ軸方向）の二つの端部６１がそれぞれ二つの溝４５に嵌められる（端部６１の構成については、後で詳述する）。支持部材４を取付部材６に取り付ける際には、取付部材６の一方の端部６１を、当該端部６１に対応する一方の溝４５に嵌めた状態で、支持部材４の他方の溝４５側の部分を、取付部材６に押し付ける。すなわち、支持部材４の裏面４６を取付部材６に近づける方向に支持部材４に対して力を加える。これにより、支持部材４の他方の溝４５部分などが撓んで、二つの溝４５の間隔が広がることにより、他方の溝４５に他方の端部６１を嵌めることができる。他方の溝４５に他方の端部６１が嵌められると、他方の溝４５側の部分が撓む方向に加わる力が解除されるため、他方の溝４５側の部分が元の形状に戻る。このように、取付部材６に支持部材４を取り付けることができる。なお、支持部材４は、溝４５に端部６１を嵌めながら、取付部材６の長さ方向（ｘ軸方向）の端部から当該長さ方向にスライドさせることにより、取付部材６に取り付けることもできる。
【００４８】
以上のように、取付部材６に取り付けられた支持部材４は、取付部材６から容易に取り外すことができる状態、すなわち、仮留めされた状態にある。この状態で、支持部材４の取付部材６に対する位置が調整される。そして、支持部材４が適切な位置に配置された後で、ねじ５を支持部材４の孔４８を介して取付部材６のねじ穴６２に捻じ込むことによって、支持部材４は取付部材６に対して固定される。
【００４９】
支持部材４は、一対の側壁４１及び４２を備える。一対の側壁４１及び４２は、支持部材４の長さ方向（ｘ軸方向）に延び、かつ、当該長さ方向に交差する方向にカバー２０を挟んで対向し、カバー２０の一部を覆う。本実施の形態では、一対の側壁４１及び４２は、カバー２０及び発光基板３０から構成される発光モジュール２を、ｙ軸方向に挟んで対向する。
【００５０】
本実施の形態では、一対の側壁４１及び４２は、それぞれカバー２０から出射された光を反射する。これにより、一対の側壁４１及び４２の形状を変えることで、照明器具１の配光特性を変えることができる。一対の側壁４１及び４２の各々の形状は特に限定されないが、図５に示されるように、側壁４１は、側壁４２と異なる形状を有してもよい。これにより、ｚ軸に対して非対称な配光特性を有する照明器具１を実現することができる。本実施の形態では、側壁４１は、側壁４２より、カバー２０を覆う面積が大きい。これにより、照明器具１の出射光が、側壁４１側（ｙ軸方向正側）より、側壁４２側（ｙ軸方向負側）に多く配光される。
【００５１】
支持部材４を構成する材料は、特に限定されない。支持部材４は、例えばポリブチレンテレフタレート（ＰＢＴ）など硬質の白色樹脂材料を用いて形成することができる。また、支持部材４は、アルミニウムなどの金属を用いて形成してもよい。また、支持部材４の側壁４１及び４２を構成する材料の透光度を選択することで、照明器具１の配光特性を調整してもよい。
【００５２】
［１−１−３．取付部材］
取付部材６は、支持部材４が固定部材によって取り付けられる被取付部である。本実施の形態では、取付部材６は、長尺板状の部材である。取付部材６は、図３及び図５に示されるように、幅方向の二つの端部６１が、取付部材６の主面に交差する方向に折り曲げられている。これにより、二つの端部６１を支持部材４の溝４５に嵌めることができる。
【００５３】
取付部材６には、二つのねじ穴６２、二つの孔６３、及び、二つの切り欠き部６４が設けられている。
【００５４】
二つのねじ穴６２は、取付部材６に対して支持部材４を固定するための固定部である。二つのねじ穴６２の各々には、支持部材４を介してねじ５が捻じ込まれる。なお、ねじ穴６２の個数は二つに限定されない。ねじ穴６２の個数は、ねじ５の本数などに応じて適宜決定されればよい。
【００５５】
二つの孔６３は、固定部材によって、取付部材６を造営材などに固定するために用いる固定部である。本実施の形態では、二つの孔６３の各々には、固定部材に相当するねじ８が挿入される。孔６３に挿入されたねじ８は、造営材などに捻じ込まれる。これにより、取付部材６は造営材などに固定される。
【００５６】
二つの切り欠き部６４は、電力供給線３４を照明器具１の外部に導くために用いられる部分である。電力供給線３４のうち、発光モジュール２の外部に位置する部分は、切り欠き部６４を介して造営材の内部などに導かれる。なお、切り欠き部６４の個数は、一つでもよい。また、本実施の形態では、切り欠き部６４は、取付部材６の長さ方向（ｘ軸方向）の両端に形成されているが、当該両端以外の位置に形成されてもよい。
【００５７】
取付部材６を構成する材料は、特に限定されない。取付部材６は、例えばアルミニウムなどの金属材料を用いて形成することができる。
【００５８】
［１−１−４．エンドキャップ］
エンドキャップ７は、支持部材４の長さ方向（ｘ軸方向）の端部を覆い、かつ、カバー２０及び発光基板３０が支持部材４の長さ方向に移動することを規制する部材である。
【００５９】
本実施の形態では、二つのエンドキャップ７の各々が、支持部材４の長さ方向の各端部を覆う。これにより、発光モジュール２の長さ方向の端部に配置された電力供給線３４などを覆うことができる。このため、電力供給線３４に外部から接触されることを抑制できるため、電力供給線３４が破損されることを抑制できる。また、エンドキャップ７によって、電力供給線３４などを覆うことにより、照明器具１のデザイン性を向上させることができる。
【００６０】
二つのエンドキャップ７の各々は、発光モジュール２が支持部材４の長さ方向に移動することを抑制する機能を有する。二つのエンドキャップ７の各々は、支持部材４の端部に固定されるため、発光モジュール２の支持部材４の長さ方向への移動を抑制できる。
【００６１】
エンドキャップ７は、取付部材６の長さ方向（ｘ軸方向）の端部に係り合わせることによって、固定されてもよいし、接着剤などによって固定されてもよい。
【００６２】
エンドキャップ７を構成する材料は、特に限定されない。支持部材４は、例えばＰＢＴなど樹脂材料を用いて形成することができる。
【００６３】
［１−１−５．ねじ（固定部材）］
ねじ５は、支持部材４を被取付部に固定する固定部材である。本実施の形態では、ねじ５は、被取付部に相当する取付部材６に支持部材４を固定する。ねじ５は、支持部材４の孔４８を介して取付部材６のねじ穴６２に捻じ込まれる。また、ねじ５は、発光基板３０の第二主面３１ｂに対向する位置に配置される。これにより、ねじ５は、発光基板３０によって覆われる。すなわち、ねじ５は、照明器具１の外部に露出されない。
【００６４】
ねじ８は、取付部材６を造営材などに固定するための固定部材である。本実施の形態では、ねじ８は、取付部材６の孔６３を介して造営材などに捻じ込まれる木ねじである。
【００６５】
ねじ５及び８を構成する材料は、特に限定されない。ねじ５及び８は、例えば鉄などの金属材料を用いて形成することができる。
【００６６】
［１−２．照明器具の取付方法］
続いて、本実施の形態に係る照明器具１の取付方法について図面を用いて説明する。
【００６７】
図８は、本実施の形態に係る照明器具１の取付手順を示すフローチャートである。
【００６８】
図９は、本実施の形態に係る照明器具１の取付手順を示す上面図である。
【００６９】
まず、発光基板３０及びカバー２０を支持部材４の規制部に配置する（図８のＳ１）。本実施の形態では、カバー２０の内部に発光基板３０が収納された発光モジュール２を支持部材４の規制部に配置する。具体的には、支持部材４の溝４３に、発光モジュール２の構成要素であるカバー２０の凸部２２を嵌める。
【００７０】
続いて、取付部材６を造営材などにねじ８を用いて固定した後、取付部材６の端部６１に支持部材４の溝４５を嵌めることにより、取付部材６に支持部材４を取り付ける。ここで、支持部材４は、取付部材６に固定されておらず、仮留めされた状態である。
【００７１】
続いて、発光基板３０及びカバー２０を支持部材４の固定部に相当するｘ軸方向負側の孔４８に対向する位置から退避させる（図８のＳ２）。本実施の形態では、図９の上面図（ａ）に示されるように、ｘ軸方向負側の孔４８が露出される位置まで、発光モジュール２を支持部材４に対してｘ軸方向正向きにスライドさせることによって、発光モジュール２を孔４８に対向する位置から退避させる。ｘ軸方向負側の孔４８を露出させる場合、発光モジュール２を支持部材４に対してｘ軸方向正向きにスライドさせることにより、発光モジュール２のｘ軸方向正側の端は、支持部材４のｘ軸方向正側の端から長さＬ１だけ突出する。当該長さＬ１は、支持部材４の長さ方向（ｘ軸方向）における孔４８の位置に応じて決まる長さである。孔４８が支持部材４の長さ方向の端（ｘ軸方向負側の端）に近いほど、当該長さＬ１を短くすることができる。
【００７２】
続いて、図９の上面図（ｂ）に示されるように、固定部に相当する露出された孔４８に、固定部材に相当するねじ５を取り付ける（図８のＳ３）。本実施の形態では、ねじ５が、孔４８を介して取付部材６のねじ穴６２に捻じ込まれる。
【００７３】
続いて、上記のｘ軸方向負側の孔４８以外の孔４８についても同様にねじ５を取り付ける。
【００７４】
まず、発光基板３０及びカバー２０を、支持部材４の固定部に相当するｘ軸方向正側の孔４８に対向する位置から退避させる。本実施の形態では、図９の上面図（ｃ）に示されるように、ｘ軸方向正側の孔４８が露出される位置まで発光モジュール２を支持部材４に対してｘ軸方向負向きにスライドさせることによって、発光モジュール２をｘ軸方向正側の孔４８に対向する位置から退避させる。ｘ軸方向正側の孔４８を露出させる場合、発光モジュール２を支持部材４に対してスライドさせることにより、発光モジュール２のｘ軸方向負側の端は、支持部材４のｘ軸方向負側の端から長さＬ２だけ突出する。当該長さＬ２は、支持部材４の長さ方向（ｘ軸方向）における孔４８の位置に応じて決まる長さである。
【００７５】
続いて、図９の上面図（ｄ）に示されるように、固定部に相当する露出された孔４８に、固定部材に相当するねじ５を取り付ける。本実施の形態では、孔４８を介して、ねじ５が取付部材６のねじ穴６２に捻じ込まれる。
【００７６】
続いて、発光基板３０及びカバー２０を支持部材４の長さ方向に移動させることによって、発光基板３０及びカバー２０を固定部に対向する位置に移動させる（図８のＳ４）。本実施の形態では、図９の上面図（ｅ）に示されるように、発光モジュール２を支持部材４の長さ方向にスライドさせることによって、固定部に相当する二つの孔４８に対向する位置に、発光モジュール２を配置する。
【００７７】
続いて、図９の上面図（ｆ）に示されるように、支持部材４の長さ方向の両端の各々にエンドキャップ７を取り付ける（図８のＳ５）。
【００７８】
以上のように、照明器具１の発光モジュール２に対してｚ軸方向負側に配置された孔４８にねじ５を取り付ける際に、上記長さＬ１又は長さＬ２だけ、発光モジュール２をスライドさせればよい。このように、孔４８にねじ５を取り付ける際に、発光モジュール２を支持部材４から取り外す（すなわち、発光モジュール２の全長に亘ってスライドさせる）必要がないため、照明器具１を取り付ける際に必要な長さ方向のスペースを比較的小さくすることができる。さらに、孔４８を支持部材４の長さ方向の端部に設けることによって、当該長さ方向のスペースをより小さくすることができる。
【００７９】
［１−３．使用態様］
続いて、本実施の形態に係る照明器具１の使用態様の一例について、図面を用いて説明する。
【００８０】
図１０は、本実施の形態に係る照明器具１の使用態様の一例を示す外観図である。
【００８１】
図１１は、本実施の形態に係る照明器具１の使用態様の一例を示す断面図である。図１１は、図１０に示されるＸＩ−ＸＩ線における断面を示す。
【００８２】
図１０及び図１１に示される使用態様の一例において、照明器具１は、屋内の天井８１と、天井８１付近に設けられたキャビネット８３との間に取り付けられている。図１０に示されるように、照明器具１は、壁８２と、キャビネット８３に隣接する他のキャビネット８５の側面８４とに挟まれる空間に取り付けられている。また、図１１に示されるように、キャビネット８３は壁８６に背面が接するように設置されており、キャビネット８３の天板９２と天井８１との間に配置された支輪９１に、照明器具１は取り付けられている。また、照明器具１には、キャビネット８３のデッドスペースに配置された電源ボックス３５から、電力供給線３４を介して直流電力が供給される。電源ボックス３５には、例えば、図示されない商用交流電源などから交流電力が供給される。
【００８３】
図１０に示されるように、照明器具１と壁８２及び側面８４との各間隔が短い場合にでも、図９を用いて上述したような取付方法で、照明器具１を被取付部である支輪９１に取り付けることができる。
【００８４】
また、照明器具１は、支持部材４の側壁４１及び４２によって、配光を調整できる。このため、例えば、図１１の破線で示される部分より下方に配光方向を制限することができる。照明器具１から多くの出射光が天井８１に照射される場合には、ユーザが天井８１からの反射光を眩しく感じることがある。一方、図１１に示される照明器具１の使用態様においては、照明器具１からの出射光が天井８１に照射されることを抑制できるため、天井８１からの反射光を抑制できる。
【００８５】
［１−４．効果など］
以上のように、本実施の形態に係る照明器具１は、第一主面３１ａ及び第一主面３１ａに背向する第二主面３１ｂを有し、第一主面３１ａに発光素子３２が設けられた長尺状の発光基板３０を備える。また、照明器具１は、発光素子３２を覆い、透光性を有する長尺状のカバー２０と、固定部材によって被取付部に固定され、発光基板３０及びカバー２０を支持する長尺状の支持部材４とを備える。支持部材４は、発光基板３０及びカバー２０の長さ方向への移動を許容し、かつ、発光基板３０及びカバー２０の長さ方向に垂直な方向への移動を規制する規制部と、固定部材が配置される固定部とを備え、固定部は、第二主面３１ｂに対向する位置に設けられる。
【００８６】
このように、本実施の形態に係る照明器具１では、固定部に相当する孔４８が、発光基板３０の第二主面３１ｂに対向する位置に配置される。このため、固定部材に相当するねじ５も、第二主面３１ｂに対向する位置に配置される。したがって、ねじ５が、照明器具１の外部に露出されない。これにより、発光基板３０の発光素子３２が配置された第一主面３１ａにねじなどの固定部材が配置されないため、第一主面３１ａの全長に亘って、発光素子３２を設けることができる。また、固定部材が露出されないため、ユーザ等が誤って固定部材を取り外すおそれを低減することができる。また、固定部材が外部に露出されないため、照明器具１の外観のデザイン性を確保することができる。
【００８７】
また、照明器具１において、固定部は、支持部材４の長さ方向の両端部に設けられる。
【００８８】
これにより、固定部材であるねじ５を固定部である孔４８に取り付ける際に、発光基板３０及びカバー２０を退避させる長さを小さくすることができる。したがって、照明器具１を取り付けるために必要とされる、長さ方向におけるスペースを低減することができる。
【００８９】
また、照明器具１において、規制部は、支持部材４の長さ方向に沿って設けられた溝４３であってもよい。
【００９０】
また、照明器具１において、カバー２０は、発光基板３０の長さ方向への移動を許容し、かつ、発光基板３０の長さ方向に垂直な方向への移動を規制する基板規制部（溝２１）を有してもよい。
【００９１】
また、照明器具１において、支持部材４は、支持部材４の長さ方向に延び、かつ、当該長さ方向に交差する方向にカバー２０を挟んで対向する一対の側壁４１及び４２を有し、一対の側壁４１及び４２が、カバー２０の一部を覆ってもよい。
【００９２】
これにより、各側壁の材料の透光度及び形状を適宜選択することによって、照明器具１の配光を調整することができる。
【００９３】
また、照明器具１において、一対の側壁４１及び４２が、カバー２０から出射される光を反射してもよい。
【００９４】
これにより、側壁によって、照明器具１からの出射光を所望の方向に集光することができる。
【００９５】
また、照明器具１において、一対の側壁４１及び４２の一方は、一対の側壁４１及び４２の他方と異なる形状を有するであってもよい。
【００９６】
これにより、非対称な配光特性を有する照明器具１を実現することができる。
【００９７】
また、照明器具１において、一対の側壁４１及び４２の一方は、一対の側壁４１及び４２の他方より、カバー２０を覆う面積が大きくてもよい。
【００９８】
また、照明器具１において、固定部材は、ねじ５であり、固定部は、支持部材４を貫通する孔４８であってもよい。
【００９９】
また、照明器具１は、被取付部として、造営材に取り付けられる取付部材６をさらに備えてもよい。
【０１００】
このように、照明器具１が取付部材６を備える場合、取付部材６に支持部材４を仮留めできる構成とすることによって、支持部材４を仮留めすることができる。また、取付部材６を金属材料などの強度の高い材料で構成し、取付部材６によって支持部材４を支持することにより、支持部材４の撓みを抑制することができる。したがって、支持部材４を樹脂材料などの比較的強度の低い材料で形成することが可能となる。
【０１０１】
また、本実施の形態に係る照明器具１の取付方法は、発光基板３０及びカバー２０を支持部材４の規制部に配置するステップと、発光基板３０及びカバー２０を固定部に対向する位置から退避させるステップとを含む。当該取付方法は、固定部に固定部材を取り付けるステップと、発光基板３０及びカバー２０を支持部材４の長さ方向に移動させることによって、発光基板３０及びカバー２０を固定部に対向する位置に移動させるステップとをさらに含む。
【０１０２】
これにより、固定部材であるねじ５を固定部である孔４８に取り付ける際に、発光基板３０及びカバー２０を退避させる長さを小さくすることができる。したがって、照明器具１の長さ方向において必要とされる設置スペースを低減することができる。
【０１０３】
（実施の形態２）
続いて、実施の形態２に係る照明器具について説明する。上記実施の形態１では、照明器具１は、取付部材６に一つの支持部材４などが取り付けられるが、本実施の形態に係る照明器具は、取付部材に複数の支持部材４などが取り付けられる。以下では、本実施の形態に係る照明器具の一例として、取付部材に二つの支持部材４などが取り付けられる例について図面を用いて説明する。
【０１０４】
［２−１．構成］
まず、本実施の形態に係る照明器具の構成について図面を用いて説明する。
【０１０５】
図１２は、本実施の形態に係る照明器具１ｂの外観を示す斜視図である。
【０１０６】
図１３は、本実施の形態に係る照明器具１ｂの構成要素を示す分解斜視図である。
【０１０７】
図１２及び図１３に示されるように、本実施の形態に係る照明器具１ｂは、主に、二つの照明モジュール１ａ、エンドキャップ７、７ａ及び７ｂ、並びに、取付部材６ａを備える。
【０１０８】
照明モジュール１ａは、上記実施の形態１に係る照明器具１の、支持部材４及び発光モジュール２を備えるモジュールである。本実施の形態では、二つの照明モジュール１ａが、一つの取付部材６ａに取り付けられる。
【０１０９】
取付部材６ａは、照明モジュール１ａを取り付けるための被取付部であり、上記実施の形態１に係る取付部材６を、長さ方向（ｘ軸方向）に二つ接続したような構成を有する。取付部材６ａは、四つのねじ穴６２、四つの孔６３、二つの切り欠き部６４及び開口６４ａを備える。なお、本実施の形態においても、上記実施の形態１と同様に、取付部材６ａを造営材などに固定するねじ８、及び、支持部材４を取付部材６ａに固定するねじ５が用いられる（図示せず）。取付部材６ａは、アルミニウムなどの金属材料によって形成されることが望ましい。これにより、取付部材６ａが長尺化されても、撓みなどの変形が抑制される。
【０１１０】
エンドキャップ７ａ及び７ｂは、それぞれ、エンドキャップ７と同様に、照明モジュール１ａの長さ方向の端部を覆い、かつ、照明モジュール１ａに含まれる発光基板３０が支持部材４の長さ方向に移動することを規制する部材である。さらに、エンドキャップ７ａ及び７ｂは、互いに接続可能な構成を有する。当該構成について、図面を用いて説明する。
【０１１１】
図１４は、本実施の形態に係るエンドキャップ７ａ及び７ｂの接続構成を示す拡大図である。
【０１１２】
図１４に示されるように、エンドキャップ７ａ及び７ｂは、それぞれ、凹部７１及び凸部７２を有する。凹部７１は凸部７２と対応する形状を有し、凹部７１には、凸部７２を嵌めることができる。エンドキャップ７ａ及び７ｂが以上のような構成を有することにより、エンドキャップ７ａ及び７ｂは、互いに所定の相対位置に配置されるように規制される。
【０１１３】
［２−２．効果など］
以上のように、本実施の形態に係る照明器具１ｂは、複数の照明モジュール１ａが、一つの取付部材６ａに取り付けられる。
【０１１４】
これにより、上記実施の形態１に係る照明器具１より長尺の照明器具１ｂを実現することができる。なお、実施の形態１に係る照明器具１のように一つの支持部材４を用いる構成でも、より長尺化することは可能である。しかしながら、長尺化することで、支持部材４等が撓み易くなるため、扱い難くなる。例えば、支持部材４のｙ軸方向の幅が、２０ｍｍ〜３０ｍｍ程度である場合、一つの支持部材４の長さは、１２００ｍｍ程度以下とすることが望ましい。
【０１１５】
また、照明器具１ｂは、互いに所定の相対位置に配置されるように規制する構成を有するエンドキャップ７ａ及び７ｂを備えてもよい。
【０１１６】
また、照明器具１ｂにおいて、取付部材６ａは、金属材料で形成されてもよい。
【０１１７】
これにより、取付部材６ａが長尺化された場合においても、取付部材６ａの撓みなどの変形が抑制される。
【０１１８】
（実施の形態３）
続いて、実施の形態３に係る照明器具について説明する。上記実施の形態１では、照明器具１が、取付部材６を備える構成を有するが、本実施の形態に係る照明器具は、取付部材を備えない。以下、本実施の形態に係る照明器具について、上記実施の形態１に係る照明器具１との相違点を中心に説明する。
【０１１９】
［３−１．構成］
まず、本実施の形態に係る照明器具の構成について、図面を用いて説明する。
【０１２０】
図１５は、本実施の形態に係る照明器具１ｃの分解斜視図である。
【０１２１】
図１５に示されるように、本実施の形態に係る照明器具１ｃは、発光モジュール２、支持部材４ｃ、エンドキャップ７、及び、ねじ８を備える。
【０１２２】
支持部材４ｃの長さ方向（ｘ軸方向）に垂直な断面形状は、上記実施の形態１に係る支持部材４の断面形状と同様である。これにより、図１５において破線の矢印で示されるように、発光モジュール２を支持部材４ｃに取り付けることができる。一方、支持部材４ｃは、ｚ軸方向に貫通する孔の構成においては、上記実施の形態１に係る支持部材４と異なる。すなわち、支持部材４ｃは、ｚ軸方向に貫通する孔として、二つの孔４８ｃだけを備える。本実施の形態に係る照明器具１ｃは、取付部材を備えず、支持部材４ｃが、直接、造営材などに取り付けられる。そのため、支持部材４ｃの二つの孔４８ｃを介して、木ねじなどによって構成されるねじ８が造営材などに捻じ込まれる。これにより、支持部材４ｃが、造営材などに固定される。以上のように、照明器具１ｃは、取付部材を備えないため、上記実施の形態１に係る照明器具１より構成が簡素化される。
【０１２３】
支持部材４ｃを構成する材料は、特に限定されない。ただし、本実施の形態では、取付部材を用いないため、支持部材４ｃによって構造的な強度を確保することが好ましい。そこで、支持部材４ｃは、例えば、アルミニウムなどの金属材料を用いて形成されることが好ましい。これにより、支持部材４ｃの構造的な強度を確保することができる。
【０１２４】
［３−２．効果など］
以上のように、本実施の形態に係る照明器具１ｃは、取付部材を備えない。
【０１２５】
これにより、照明器具１ｃの構成を簡素化することができる。
【０１２６】
また、照明器具１ｃの支持部材４ｃは、アルミニウムなどの金属材料で構成されてもよい。
【０１２７】
これにより、支持部材４ｃの構造的な強度を確保することができる。
【０１２８】
（実施の形態４）
続いて、実施の形態４に係る照明器具について説明する。上記実施の形態１に係る照明器具１では、支持部材４における側壁４１と側壁４２との隙間に、ドライバを挿入することによって、ねじ５をねじ穴６２に捻じ込むことが可能である。本実施の形態では、支持部材における側壁が、カバーの大部分を覆うことに起因して、ねじによる支持部材の固定ができない場合、つまり、対向する側壁間の隙間からドライバによってねじを捻じ込めない場合の構成例を示す。以下、本実施の形態に係る照明器具について、上記実施の形態１に係る照明器具１との相違点を中心に説明する。
【０１２９】
［４−１．構成］
まず、本実施の形態に係る照明器具の構成について、図面を用いて説明する。
【０１３０】
図１６は、本実施の形態に係る照明器具１ｄの外観を示す斜視図である。
【０１３１】
図１７は、本実施の形態に係る照明器具１ｄの分解斜視図である。
【０１３２】
図１８は、本実施の形態に係る照明器具１ｄの断面図である。図１８では、図１６に示される照明器具１ｄのＸＶＩＩＩ−ＸＶＩＩＩ線における断面図が示される。
【０１３３】
図１６〜１８に示されるように、照明器具１ｄは、発光モジュール２ｄ、支持部材４ｄ、ねじ５ｄ及び８ｄ、固定板５０、取付部材６ｄ並びにエンドキャップ７ｄを備える。以下、上記各構成要素について説明する。
【０１３４】
［４−１−１．発光モジュール］
発光モジュール２ｄは、照明器具１ｄの発光部である。発光モジュール２ｄは、上記実施の形態１に係る発光モジュール２とほぼ同様の構成を有し、発光モジュール２と細部の形状において異なる。なお、図１７では、発光モジュール２ｄに電力を供給する電力供給線は、省略されている。
【０１３５】
発光モジュール２ｄは、図１７及び図１８に示されるように、カバー２０ｄ、発光基板３０、第一カバーキャップ９ｄ及び第二カバーキャップ１０ｄを備える。図１７には、発光モジュール２ｄが張力留部材１１を備えない構成例が示されるが、発光モジュール２ｄは、張力留部材を備えてもよい。
【０１３６】
発光基板３０は、実施の形態１に係る発光基板３０と同様の構成を有する。
【０１３７】
カバー２０ｄは、実施の形態１に係るカバー２０とほぼ同様の構成を有する。カバー２０ｄは、基板規制部として、内側面に、カバー２０ｄの長さ方向に沿って設けられた一対の溝２１ｄを有し、ｙ軸方向の両端面に凸部２２ｄを有する。カバー２０ｄは、細部の形状においてカバー２０と異なる。
【０１３８】
第一カバーキャップ９ｄ及び第二カバーキャップ１０ｄは、それぞれ実施の形態１に係る第一カバーキャップ９及び第二カバーキャップ１０とほぼ同様の構成を有し、細部の形状において異なる。
【０１３９】
［４−１−２．取付部材］
取付部材６ｄは、上記実施の形態１に係る取付部材６と同様に、支持部材４ｄが固定部材によって取り付けられる被取付部である。本実施の形態では、取付部材６ｄは、図１８に示されるように、幅方向（ｙ軸方向）の両端にそれぞれ凸部６１ｄが設けられている。二つの凸部６１ｄを支持部材４ｄの溝４５ｄに嵌めることにより、支持部材４ｄを取付部材６ｄに仮留めすることができる。
【０１４０】
図１７及び図１８に示されるように、取付部材６ｄには、孔６３１、６３２及び６３３、突出部６６１及び６６２、ねじ穴６０１及び６０２、並びに、溝６７が設けられている。
【０１４１】
孔６３１、６３２及び６３３は、固定部材によって、取付部材６を造営材などに固定するために用いる固定部である。本実施の形態では、孔６３１、６３２及び６３３の各々には、固定部材に相当するねじ８ｄが挿入される。孔６３１、６３２及び６３３の各々に挿入されたねじ８ｄは、造営材などに捻じ込まれる。これにより、取付部材６ｄは造営材などに固定される。孔６３１、６３２及び６３３の形状は、特に限定されない。本実施の形態では、孔６３１は、取付部材６ｄの幅方向（ｙ軸方向）に延びる長円状の開口形状を有し、孔６３２は、ほぼ真円状の開口形状を有し、孔６３３は、取付部材６ｄの長さ方向（ｘ軸方向）に延びる長円状の開口形状を有する。孔６３１及び６３３のような長孔が設けられていることにより、ユーザは、取付部材６ｄとねじ８ｄとの相対位置を微調整することができる。
【０１４２】
突出部６６１及び６６２は、取付部材６ｄの長さ方向（ｘ軸方向）の各端部に設けられている。突出部６６１及び６６２の形状は特に限定されないが、本実施の形態では、取付部材６ｄの端部と同程度の厚さの略矩形板状の形状を有する。突出部６６１及び６６２は、取付部材６ｄの長さ方向（ｘ軸方向）の各端部から突出する方向に延びている。突出部６６１及び６６２には、それぞれ固定板５０が取り付けられる。
【０１４３】
ねじ穴６０１及び６０２は、それぞれ突出部６６１及び６６２に設けられている。ねじ穴６０１及び６０２は、突出部６６１および６６２に固定板５０を固定するために用いられる。
【０１４４】
溝６７は、取付部材６ｄの長さ方向に延びる凹部である。溝６７は、取付部材６ｄの幅方向の略中央に設けられている。溝６７には、支持部材４ｄの凸部４７が嵌められる。
【０１４５】
［４−１−３．支持部材］
支持部材４ｄは、上記実施の形態１に係る支持部材４と同様に、固定部材によって被取付部に固定され、発光基板３０及びカバー２０ｄを支持する長尺状の部材である。本実施の形態では、支持部材４ｄは、固定部材に相当する二つの固定板５０によって、被取付部に相当する取付部材６ｄに固定される。支持部材４ｄは、発光基板３０及びカバー２０ｄの長さ方向への移動を許容し、かつ、発光基板３０及びカバー２０ｄの長さ方向に垂直な方向への移動を規制する規制部と、固定部材が配置される固定部とを備える。本実施の形態では、図１８に示されるように、規制部として支持部材４ｄの内面に、支持部材４ｄの長さ方向に沿って設けられた二つの溝４３ｄを備える。二つの溝４３ｄに、カバー２０ｄの凸部２２ｄがそれぞれ嵌められることにより、発光基板３０及びカバー２０ｄを含む発光モジュール２ｄは、長さ方向（ｘ軸方向）への移動が許容され、かつ、当該長さ方向に垂直な方向への移動が規制される。すなわち、発光基板３０及びカバー２０ｄを含む発光モジュール２ｄは、支持部材４ｄによって、支持部材４ｄの長さ方向にスライド可能に支持される。これにより、図１７において破線の矢印で示されるように、支持部材４ｄに対して、発光モジュール２ｄを支持部材４ｄの長さ方向（ｘ軸方向）にスライドさせることで、支持部材４ｄに発光モジュール２ｄを取り付けることができる。
【０１４６】
本実施の形態では、図１８に示されるように、支持部材４ｄは固定部に相当する凹部４８ｄを備える。凹部４８ｄは、支持部材４ｄの長さ方向（ｘ軸方向）における両端部に設けられている。本実施の形態では、凹部４８ｄは、支持部材４ｄの長さ方向全体にわたって設けられている。凹部４８ｄには、固定板５０の一部が配置される。凹部４８ｄは、固定板５０の一部と取付部材６ｄとで挟まれることによって、取付部材６ｄに対して固定される。なお、支持部材４ｄの取付部材６ｄへの固定方法については、後述する。
【０１４７】
支持部材４ｄは、図１７に示されるように、三つの開口４９１、４９２及び４９３を備える。三つの開口４９１、４９２及び４９３は、それぞれ、取付部材６ｄに取り付けられるねじ８ｄと支持部材４ｄとが干渉することを回避するための孔である。支持部材４ｄと取付部材６ｄとを組み合わせた場合に、ねじ８ｄの頭部分が開口４９１、４９２及び４９３に挿入される。
【０１４８】
支持部材４ｄは、図１８に示されるように、取付部材６ｄに対して支持部材４ｄを取り付ける（仮留めする）ための二つの溝４５ｄを備える。二つの溝４５ｄは、支持部材４ｄの取付部材６ｄ側（ｚ軸方向負側）の端部付近であって、支持部材４ｄの幅方向（ｙ軸方向）の両端部付近にそれぞれ設けられる。取付部材６ｄの幅方向（ｙ軸方向）の二つの凸部６１ｄがそれぞれ二つの溝４５ｄに嵌められる。支持部材４ｄを取付部材６ｄに取り付ける手順は、上記実施の形態１と同様である。取付部材６ｄに取り付けられた支持部材４ｄは、取付部材６ｄから容易に取り外すことができる状態、すなわち、仮留めされた状態にある。この状態で、支持部材４ｄの取付部材６ｄに対する位置が調整される。そして、支持部材４ｄが適切な位置に配置された後で、固定板５０及びねじ５ｄを用いて、支持部材４ｄは取付部材６ｄに対して固定される。
【０１４９】
支持部材４ｄは、一対の側壁４１ｄ及び４２ｄを備える。一対の側壁４１ｄ及び４２ｄは、支持部材４ｄの長さ方向（ｘ軸方向）に延び、かつ、当該長さ方向に交差する方向にカバー２０ｄを挟んで対向し、カバー２０ｄの一部を覆う。本実施の形態では、一対の側壁４１ｄ及び４２ｄは、カバー２０ｄ及び発光基板３０から構成される発光モジュール２ｄを、ｙ軸方向に挟んで対向する。また、本実施の形態では、側壁４１ｄは、カバー２０ｄのｙ軸方向中央部付近まで覆う。このため、本実施の形態では、上記実施の形態１で用いたねじ５による固定が不可能となる。すなわち、本実施の形態において、上記実施の形態１と同様にねじ５を配置することを仮定すると、ねじ５の頭部分の真上（ｚ軸方向ｘ側）に側壁４１が存在することになり、ねじ５をドライバによって捻じ込むことができない。そこで、本実施の形態では、支持部材４ｄを取付部材６ｄに固定するために、上述の凹部４８ｄが用いられる。
【０１５０】
［４−１−４．エンドキャップ］
エンドキャップ７ｄは、支持部材４ｄの長さ方向（ｘ軸方向）の端部を覆い、かつ、カバー２０ｄ及び発光基板３０が支持部材４ｄの長さ方向に移動することを規制する部材である。エンドキャップ７ｄは、上記実施の形態１に係るエンドキャップ７と同様の構成を有する。
【０１５１】
［４−１−５．固定板］
固定板５０は、支持部材４ｄを被取付部に固定する固定部材である。本実施の形態では、固定板５０は、被取付部に相当する取付部材６ｄに支持部材４ｄを固定する。また、固定板５０は、取付部材６ｄと共に凹部４８ｄを挟む挟持部５１を有し、基板３１の第二主面３１ｂに対向しない位置において、取付部材６ｄに固定される。固定板５０を構成する材料は、特に限定されない。固定板５０は、例えばアルミニウムなどの金属材料を用いて形成することができる。
【０１５２】
続いて、固定板５０の詳細な形状などについて図面を用いて説明する。
【０１５３】
図１９は、本実施の形態に係る支持部材４ｄ及び取付部材６ｄの一方の端部と固定板５０とを示す分解斜視図である。図１９においては、支持部材４ｄは取付部材６ｄに仮留めされている。
【０１５４】
図２０は、本実施の形態に係る支持部材４ｄ、取付部材６ｄ及び固定板５０を示す斜視図である。図２０においては、支持部材４ｄは、固定板５０及びねじ５ｄによって取付部材６ｄに固定されている。
【０１５５】
図１９に示されるように、固定板５０には、挟持部５１、並びに、孔５２及び５３が設けられている。
【０１５６】
挟持部５１は、取付部材６ｄと共に支持部材４ｄを挟む板状部分であり、固定板５０のｙ軸方向中央部からｘ軸方向正側に舌状に延びる。本実施の形態では、挟持部５１は、支持部材４ｄの凹部４８ｄに嵌められる。これにより、挟持部５１のｙ軸方向への移動が規制される。挟持部５１の厚さは、凹部４８ｄの深さと同程度又はそれ以下である。これにより、挟持部５１が、凹部４８ｄから発光モジュール２ｄ側に突出することが抑制される。なお、挟持部５１は、取付部材６ｄと共に支持部材４ｄを挟むことができればよく、板状の形状に限定されない。
【０１５７】
孔５２は、ねじ５ｄを挿入するための貫通孔である。孔５２は、第二主面３１ｂに対向しない位置であって、取付部材６ｄのねじ穴６０２に対応する位置に設けられる。固定板５０は、孔５２に挿入されたねじ５ｄがねじ穴６０２に捻じ込まれることによって、取付部材６ｄに固定される。
【０１５８】
孔５３は、発光モジュール２ｄに電力を供給する電力供給線を照明器具１ｄの外部に導くために用いられる部分である。本実施の形態では、孔５３は、固定板５０のｙ軸方向中央部に設けられる。
【０１５９】
図１９及び図２０に示されるように、固定板５０は、挟持部５１が支持部材４ｄの凹部４８ｄに嵌められた状態で、ねじ５ｄによって、取付部材６ｄに固定される。これにより、支持部材４ｄは、固定板５０と取付部材６ｄとに挟まれた状態で固定される。また、挟持部５１が、凹部４８ｄに嵌められることにより、固定板５０が、ねじ５ｄを中心として、回転することが抑制される。また、図１９及び図２０では示されていないが、挟持部５１のｚ軸方向正側には、発光モジュール２ｄが配置されるため、挟持部５１の照明器具１ｄの外部への露出が抑制される。
【０１６０】
なお、以上では、取付部材６ｄのｘ軸方向負側端部に取り付けられる固定板５０に説明したが、取付部材６ｄのｘ軸方向正側端部に取り付けられる固定板５０も同様の構成を有する。これにより、支持部材４ｄは、長さ方向（ｘ軸方向）の両端において、固定板５０によって固定される。
【０１６１】
［４−２．照明器具の取付方法］
続いて、本実施の形態に係る照明器具１ｄの取付方法について図面を用いて説明する。
【０１６２】
図２１は、本実施の形態に係る照明器具１ｄの取付手順を示す上面図である。
【０１６３】
なお、本実施の形態に係る照明器具１ｄの取付手順は、上記実施の形態１に係る照明器具１と同様に、図８のフローチャートで示される。
【０１６４】
まず、発光基板３０及びカバー２０ｄを支持部材４ｄの規制部に配置する（図８のＳ１）。本実施の形態では、カバー２０ｄの内部に発光基板３０が収納された発光モジュール２ｄを支持部材４ｄの規制部に配置する。具体的には、支持部材４ｄの溝４３ｄに、発光モジュール２ｄの構成要素であるカバー２０ｄの凸部２２ｄを嵌める。
【０１６５】
続いて、取付部材６ｄを造営材などにねじ８ｄを用いて固定した後、取付部材６ｄの凸部６１ｄに支持部材４ｄの溝４５ｄを嵌めることにより、取付部材６ｄに支持部材４ｄを取り付ける。ここで、支持部材４ｄは、取付部材６ｄに固定されておらず、仮留めされた状態である。
【０１６６】
続いて、発光基板３０及びカバー２０ｄを支持部材４ｄの固定部に相当する凹部４８ｄのｘ軸方向負側端部に対向する位置から退避させる（図８のＳ２）。本実施の形態では、図２１の上面図（ａ）に示されるように、凹部４８ｄのｘ軸方向負側端部が固定板５０の挟持部５１のｘ軸方向長さと同等の長さ分以上に露出される位置まで、発光モジュール２ｄを支持部材４ｄに対してｘ軸方向正向きにスライドさせる。これにより、発光モジュール２ｄを凹部４８ｄのｘ軸方向負側端部に対向する位置から退避させる。凹部４８ｄのｘ軸方向負側端部を露出させる場合、発光モジュール２ｄを支持部材４ｄに対してｘ軸方向正向きにスライドさせることにより、発光モジュール２ｄのｘ軸方向正側の端は、支持部材４ｄのｘ軸方向正側の端から長さＬ１１だけ突出する。当該長さＬ１１は、固定板５０の挟持部５１のｘ軸方向における長さに応じて決まる長さである。
【０１６７】
続いて、図２１の上面図（ｂ）に示されるように、固定部に相当する凹部４８ｄに、固定部材に相当する固定板５０を取り付ける（図８のＳ３）。本実施の形態では、支持部材４ｄの凹部４８ｄに、固定板５０の挟持部５１が嵌められる。
【０１６８】
続いて、上記の凹部４８ｄのｘ軸方向正側端部についても同様に固定板５０を取り付ける。
【０１６９】
まず、発光基板３０及びカバー２０ｄを、支持部材４ｄの固定部に相当する凹部４８ｄのｘ軸方向正側端部に対向する位置から退避させる。本実施の形態では、図２１の上面図（ｃ）に示されるように、凹部４８ｄのｘ軸方向正側端部が固定板５０の挟持部５１のｘ軸方向長さと同等の長さ分以上に露出される位置まで、発光モジュール２ｄを支持部材４ｄに対してｘ軸方向負向きにスライドさせる。これにより、発光モジュール２ｄを凹部４８ｄのｘ軸方向正側端部に対向する位置から退避させる。凹部４８ｄのｘ軸方向正側端部を露出させる場合、発光モジュール２ｄを支持部材４ｄに対してｘ軸方向負向きにスライドさせることにより、発光モジュール２ｄのｘ軸方向負側の端は、支持部材４ｄのｘ軸方向負側の端から長さＬ１２だけ突出する。当該長さＬ１２は、固定板５０の挟持部５１のｘ軸方向における長さに応じて決まる長さである。
【０１７０】
続いて、図２１の上面図（ｄ）に示されるように、固定部に相当する露出された凹部４８ｄに、固定部材に相当する固定板５０を取り付ける。本実施の形態では、支持部材４ｄの凹部４８ｄに、固定板５０の挟持部５１が嵌められる。
【０１７１】
続いて、発光基板３０及びカバー２０ｄを支持部材４ｄの長さ方向に移動させることによって、発光基板３０及びカバー２０ｄを固定部に対向する位置に移動させる（図８のＳ４）。本実施の形態では、図２１の上面図（ｅ）に示されるように、発光モジュール２ｄを支持部材４ｄの長さ方向にスライドさせることによって、固定部に相当する凹部４８ｄに対向する位置に、発光モジュール２ｄを配置する。
【０１７２】
続いて、図２１の上面図（ｆ）に示されるように、二つの固定板５０の各孔５２にねじ５ｄを挿入して、それぞれ、ねじ穴６０１及び６０２に捻じ込む。これにより、固定板５０は、挟持部５１が支持部材４ｄの凹部４８ｄに嵌められた状態で、ねじ５ｄによって、取付部材６ｄに固定される。このように、支持部材４ｄは、固定板５０と取付部材６ｄとに挟まれた状態で固定される。
【０１７３】
続いて、図２１の上面図（ｇ）に示されるように、支持部材４ｄの長さ方向の両端の各々にエンドキャップ７ｄを取り付ける（図８のＳ５）。
【０１７４】
以上のように、照明器具１ｄの発光モジュール２ｄに対してｚ軸方向負側に配置された凹部４８ｄに固定板５０の挟持部５１を嵌める際に、上記長さＬ１１又は長さＬ１２だけ、発光モジュール２ｄをスライドさせればよい。このように、凹部４８ｄに挟持部５１を嵌める際に、発光モジュール２ｄを支持部材４ｄから取り外す（すなわち、発光モジュール２ｄの全長に亘ってスライドさせる）必要がない。このため、照明器具１ｄを取り付ける際に必要な長さ方向のスペースを比較的小さくすることができる。
【０１７５】
なお、本実施の形態では、固定板５０の挟持部５１を凹部４８ｄに嵌める際、発光モジュール２ｄをスライドさせなくてもよい。すなわち、発光モジュール２ｄを凹部４８ｄに対向する位置に配置した状態で、凹部４８ｄに挟持部５１をｘ軸方向にスライドさせながら挿入することも可能である。この場合においても、照明器具１ｄを取り付ける際に、照明器具１ｄの長さに加えて、照明器具１ｄの長さ方向の両端に、それぞれ挟持部５１の長さ程度のスペースがあれば、照明器具１ｄを設置できる。したがって、照明器具１ｄを取り付ける際に必要な長さ方向のスペースを比較的小さくすることができる。
【０１７６】
［４−３．効果など］
以上のように、本実施の形態に係る照明器具１ｄにおいては、被取付部である取付部材６ｄと共に固定部に相当する凹部４８ｄを挟む挟持部５１を有し、基板３１の第二主面３１ｂに対向しない位置において、取付部材６ｄに固定される。
【０１７７】
これにより、支持部材４ｄの側壁４１ｄ及び４２ｄが、カバー２０ｄの大部分を覆う場合にも、支持部材４ｄを取付部材６ｄに固定することができる。
【０１７８】
（実施の形態５）
続いて、実施の形態５に係る照明器具１ｅについて説明する。本実施の形態では、上記実施の形態４に係る取付部材６ｄ、支持部材４ｄ及び発光モジュール２ｄを複数セット用いる照明器具について説明する。
【０１７９】
［５−１．構成］
まず、本実施の形態に係る照明器具１ｅの構成について図面を用いて説明する。
【０１８０】
図２２は、本実施の形態に係る照明器具１ｅの外観を示す斜視図である。
【０１８１】
図２２に示されるように、照明器具１ｅは、二つの支持部材４ｄ、二つの発光モジュール２ｄ、二つのエンドキャップ７ｄ及び接続部キャップ７ｅを備える。照明器具１ｅで用いられる支持部材４ｄ、発光モジュール２ｄ及びエンドキャップ７ｄは、実施の形態４に係る照明器具１ｄで用いられるものと同様の構成を有する。また、図２２には示されないが、照明器具１ｅの二つの支持部材４ｄは、実施の形態４に係る照明器具１ｄと同様に、それぞれ、取付部材６ｄに取り付けられている。また、二つの支持部材４ｄは、それぞれ、エンドキャップ７ｄの内部において、固定板５０及びねじ５ｄを用いて取付部材６ｄに固定されている。また、本実施の形態に係る照明器具１ｅは、接続部キャップ７ｅの内部において、二つの取付部材６ｄを接続するとともに、二つの支持部材４ｄがそれぞれ、二つの取付部材６ｄに固定されている。接続部キャップ７ｅ及びその内部の構成について図面を用いて説明する。
【０１８２】
図２３は、本実施の形態に係る照明器具１ｅの接続部キャップ７ｅの内部の構成を示す分解斜視図である。図２３では、照明器具１ｅの接続部キャップ７ｅ及び固定板５０ｅが分解され、二つの発光モジュール２ｄをそれぞれ接続部キャップ７ｅから離れる方向にスライドさせた状態が示されている。
【０１８３】
図２３に示されるように、照明器具１ｅは、接続部キャップ７ｅの内部に固定板５０ｅ及び二つのねじ５ｅを備える。
【０１８４】
固定板５０ｅは、支持部材４ｄを被取付部に固定する固定部材である。本実施の形態では、固定板５０ｅは、被取付部に相当する取付部材６ｄに支持部材４ｄを固定する。さらに、固定板５０ｅは、二つの取付部材６ｄを接続した状態で固定する機能も有する。
【０１８５】
図２３に示されるように、固定板５０ｅには、二つの挟持部５１ｅ、並びに、二つの孔５２ｅ及び一つの孔５３ｅが設けられている。
【０１８６】
二つの挟持部５１ｅは、取付部材６ｄと共に支持部材４ｄを挟む板状部分であり、固定板５０ｅのｙ軸方向中央部からｘ軸方向正側及び負側にそれぞれ延びる。二つの挟持部５１ｅは、実施の形態４に係る挟持部５１と同様の構成を有する。
【０１８７】
二つの孔５２ｅは、ねじ５ｅを挿入するための貫通孔である。二つの孔５２ｅは、取付部材６ｄのねじ穴６０１及び６０２に対応する位置に設けられ、二つの孔５２ｅに挿入されたねじ５ｅがそれぞれ、ねじ穴６０１及び６０２に捻じ込まれる。なお、図２３には、二つの孔５２ｅのうち、ねじ穴６０１に対応する位置に設けられた孔５２ｅだけが示されているが、ねじ穴６０２に対応する位置にも孔５２ｅが設けられている。
【０１８８】
孔５３ｅは、発光モジュール２ｄに電力を供給する電力供給線を照明器具１ｅの外部に導くために用いられる部分である。本実施の形態では、孔５３ｅは、固定板５０ｅのｙ軸方向中央部に設けられる。
【０１８９】
図２３に示されるように、一方の取付部材６ｄの突出部６６１が、他方の取付部材６ｄに当接し、他方の取付部材６ｄの突出部６６２が一方の取付部材６ｄに当接する。これにより、突出部６６１と突出部６６２との間に間隙が形成される。孔５３ｅと当該間隙とを経由して、発光モジュール２ｄから電力供給線が外部に導かれる。
【０１９０】
［５−２．固定板の取付方法］
続いて、固定板５０ｅの取付方法について、図２３〜２５を用いて説明する。
【０１９１】
図２４〜２６は、本実施の形態に係る照明器具１ｅの接続部キャップ７ｅの内部の構成を示す分解斜視図である。図２４では、二つの取付部材６ｄに固定板５０ｅが取り付けられた状態が示されている。図２５では、二つの発光モジュール２ｄが凹部４８ｄに対向する位置に配置された状態が示されている。図２６では、二つのねじ５ｅが孔５２ｅに取り付けられた状態が示されている。
【０１９２】
図２７は、本実施の形態に係る照明器具１ｅの接続部キャップ７ｅ近傍の拡大図である。
【０１９３】
まず、図２３に示されるように、一方の取付部材６ｄの突出部６６１を、他方の取付部材６ｄに当接させ、他方の取付部材６ｄの突出部６６２を一方の取付部材６ｄに当接させる。さらに、二つの取付部材６ｄに取り付けられた発光モジュール２ｄを接続部キャップ７ｅから離れる方向にスライドさせる。これにより、凹部４８ｄを露出させる。
【０１９４】
続いて、図２４に示されるように、固定板５０ｅの二つの挟持部５１ｅを二つの支持部材４ｄの凹部４８ｄにそれぞれ嵌める。
【０１９５】
続いて、図２５に示されるように、発光モジュール２ｄをスライドさせて、凹部４８ｄに対向する位置に配置する。
【０１９６】
続いて、図２６に示されるように、二つのねじ５ｅを二つの孔５２ｅにそれぞれ挿入し、ねじ穴６０１及び６０２にそれぞれ捻じ込む。以上のように、固定板５０ｅを取付部材６ｄに取り付けることができる。
【０１９７】
続いて、図２７に示されるように、接続部キャップ７ｅを二つの支持部材４ｄの間に取り付ける。
【０１９８】
このように、照明器具１ｅにおいて、二つの取付部材６ｄを接続した状態で、固定板５０ｅによって固定することができる。また、固定板５０ｅの挟持部５１ｅは、取付部材６ｄと共に、支持部材４ｄを挟むことによって、支持部材４ｄを取付部材６ｄに固定することができる。
【０１９９】
［５−３．効果など］
以上のように、本実施の形態に係る照明器具１ｅにおいて、固定部材に相当する固定板５０ｅは、被取付部に相当する二つの取付部材６ｄと共に、固定部に相当する二つの凹部４８ｄをそれぞれ挟む二つの挟持部５１ｅを有する。また、二つの挟持部５１ｅは、それぞれ、第二主面３１ｂに対向しない位置において、二つの取付部材６ｄに固定される。
【０２００】
これにより、実施の形態４に係る照明器具１ｄと同様に、支持部材４ｄの側壁４１ｄ及び４２ｄが、カバー２０ｄの大部分を覆う場合にも、支持部材４ｄを取付部材６ｄに固定することができる。さらに、本実施の形態では、固定板５０ｅによって、二つの取付部材６ｄを接続した状態で固定することができる。
【０２０１】
（変形例など）
以上、本発明について、実施の形態に基づいて説明したが、本発明は、これらの実施の形態に限定されるものではない。
【０２０２】
例えば、上記実施の形態においては、発光素子３２として、ＳＭＤ型のＬＥＤを用いたが、他の発光素子を用いてもよい。例えば、ＣＯＢ（Ｃｈｉｐ  Ｏｎ  Ｂｏａｒｄ）型ＬＥＤを用いてもよい。また、有機ＥＬ素子など他の固体発光素子、又は、固体発光素子以外の他の光源を用いてもよい。
【０２０３】
また、上記実施の形態では、複数の発光素子３２を用いる構成を示したが、発光素子は一つでもよい。例えば、発光素子として、一つの長尺状の素子を用いてもよい。
【０２０４】
また、固定部材としてねじを用いる構成を示したが、固定部材は、ねじに限定されない。例えば、被取付部側から突出させたねじ切り棒、又は、その他の固定部材であってもよい。
【０２０５】
また、上記各実施の形態において、各照明器具の内部、及び、各照明器具が取り付けられる造営材などの内部に水分などが進入することを抑制するために、パッキンなどのシール部材を用いてもよい。具体的には、上記実施の形態１に係る照明器具１の取付部材６と、取付部材６が取り付けられる造営材などとの間にパッキンを挿入してもよい。また、上記実施の形態３に係る照明器具１ｃの支持部材４ｃと造営材などとの間にパッキンを挿入してもよい。特に、ねじ８が照明器具１及び１ｃから造営材などに捻じ込まれる部分にパッキンを挿入することが効果的である。
【０２０６】
また、上記各実施の形態において、カバー２０は、筒状の形状を有するが、カバー２０の形状は筒状でなくてもよい。カバー２０の形状は、発光素子３２を覆うことができる形状であればよい。例えば、カバー２０の長さ方向に垂直な断面形状が略Ｃ字形状であってもよい。
【０２０７】
また、上記各実施の形態では、発光基板３０とカバー２０とは、発光モジュール２として一体化されているが、発光基板３０とカバー２０とは、一体化されていなくてもよい。発光基板３０とカバー２０とは、それぞれ、別々に、支持部材４に対してスライド可能であってもよい。
【０２０８】
また、上記実施の形態４では、カバー２０ｄと支持部材４ｄとが、別部材として形成されているが、二色成型により一体に（一部品として）形成してもよい。実施の形態４に係るカバー２０ｄ及び支持部材４ｄでは、長手方向（図１７などのｘ軸方向）に垂直な平面による断面の形状が、長手方向のどの位置においてもほぼ同一である。したがって、実施の形態４に係るカバー２０ｄ及び支持部材４ｄは、押出し成型によって一体に形成可能である。なお、カバー２０ｄ及び支持部材４ｄを一体に形成する場合には、固定板５０の挟持部５１は、カバー２０ｄ及び支持部材４ｄの端部から、カバー２０ｄと支持部材４ｄとの間に挿入される。固定板５０の挟持部５１をカバー２０ｄと支持部材４ｄとの間に挿入した状態で、固定板５０をねじ５ｄによって取付部材６ｄに固定する。以上のように、カバー２０ｄ及び支持部材４ｄを取付部材６ｄに固定できる。このように、カバー２０ｄ及び支持部材４ｄを一体に形成することによって、照明器具１ｄの取付手順を簡略化できる。
【０２０９】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０２１０】
１、１ｂ、１ｃ、１ｄ、１ｅ  照明器具
４、４ｃ、４ｄ  支持部材
５  ねじ（固定部材）
６、６ａ、６ｄ  取付部材（被取付部）
２０、２０ｄ  カバー
４３、４３ｄ  溝
３０  発光基板
３１ａ  第一主面
３１ｂ  第二主面
４１、４１ｄ、４２、４２ｄ  側壁
４８、４８ｃ  孔（固定部）
４８ｄ  凹部（固定部）
５０、５０ｅ  固定板（固定部材）
５１、５１ｅ  挟持部
【図１】
0006726898.tif 000002
【図２】
0006726898.tif 000003
【図３】
0006726898.tif 000004
【図４】
0006726898.tif 000005
【図５】
0006726898.tif 000006
【図６】
0006726898.tif 000007
【図７】
0006726898.tif 000008
【図８】
0006726898.tif 000009
【図９】
0006726898.tif 000010
【図１０】
0006726898.tif 000011
【図１１】
0006726898.tif 000012
【図１２】
0006726898.tif 000013
【図１３】
0006726898.tif 000014
【図１４】
0006726898.tif 000015
【図１５】
0006726898.tif 000016
【図１６】
0006726898.tif 000017
【図１７】
0006726898.tif 000018
【図１８】
0006726898.tif 000019
【図１９】
0006726898.tif 000020
【図２０】
0006726898.tif 000021
【図２１】
0006726898.tif 000022
【図２２】
0006726898.tif 000023
【図２３】
0006726898.tif 000024
【図２４】
0006726898.tif 000025
【図２５】
0006726898.tif 000026
【図２６】
0006726898.tif 000027
【図２７】
0006726898.tif 000028